(57)【要約】【課題】スライド対象物のスライド経路上の一端への自動スライド動作を維持しつつ、独立した部品としてのロック機構を必要とせず、他端でのロック状態を実現する。【解決手段】バネ７４により付勢された回転レバー７７の先端部７９は、カバー５１（スライド対象物）を支持しているスライドアーム部６３の先端に当接し、カバー５１を閉鎖状態へ移動させて維持する。外部からの押圧力によりバネ７４の付勢力に抗してカバー５１が押されるとスライドアーム部６３がスライドして、カバー５１が開かれていく。さらに継続してカバー５１が押されたとき、回転レバー７７の先端部７９がスライドアーム部６３の側面に乗り上げる。この時点で、前記押圧力が解除されても、スライドアーム部６３および回転レバー７７は現在の位置に止まる。【選択図】図９
2009251080.tif 000002
【特許請求の範囲】
【請求項１】
スライド対象物のロック機構であって、
前記スライド対象物を支持し、予め定められたスライド経路に沿ってスライド可能なスライドアーム部材と、
前記スライドアーム部材の一端に当接する先端部を有し、固定の回転軸を中心に回転する回転レバー部材と、
前記スライドアーム部材を前記スライド経路に沿った一端側へ付勢するように前記回転レバー部材を一方向に回転させる付勢力を与える付勢手段と、
前記スライドアーム部材は、外部からの押圧力により前記付勢手段の付勢力に抗して押されたとき、前記スライド経路に沿って移動することにより、前記回転レバー部材を前記一方向と逆の方向に回転させ、さらに継続して押されたとき、前記回転レバー部材の先端部が前記スライドアーム部材の側面に乗り上げ、前記押圧力が解除されても、前記スライドアーム部材および前記回転レバー部材は現在の位置に止まる
ことを特徴とするロック機構。
【請求項２】
前記スライドアーム部材は、前記回転レバー部材の先端部が乗り上げる側面に設けられた係合部を有し、この係合部により、スライドアーム部材が前記スライド経路上で位置決めされるとともに、操作上のクリック感がもたらされることを特徴とする請求項１に記載のロック機構。
【請求項３】
前記スライドアーム部材は、前記係合部として、前記回転レバー部材の先端部が乗り上げる側面に凹部または凸部を有し、前記回転レバー部材の先端部が前記側面上に乗り上げて移動する際に、前記先端部の一部が前記凹部に嵌合しまたは前記凸部を乗り越えることを特徴とする請求項２に記載のロック機構。
【請求項４】
前記スライドアーム部材として平行にスライドする第１および第２のスライドアーム部材を備えるとともに、前記第１および第２のスライドアーム部材に対応付けられた第１および第２の回転レバー部材を備え、単一の前記付勢手段を前記第１および第２の回転レバー部材に共用したことを特徴とする請求項１〜３のいずれかに記載のロック機構。
【請求項５】
予め定められたスライド経路に従ってスライドするスライド対象物をスライド経路内の２点において安定的に保持するスライド装置であって、
前記スライド対象物を支持し、予め定められたスライド経路に沿ってスライド可能なスライドアーム部材と、
前記スライドアーム部材の一端に当接する先端部を有し、固定の回転軸を中心に回転する回転レバー部材と、
前記スライドアーム部材を前記スライド経路に沿った一端側へ付勢するように前記回転レバー部材を一方向に回転させる付勢力を与える付勢手段と、
前記スライドアーム部材は、外部からの押圧力により前記付勢手段の付勢力に抗して押されたとき、前記スライド経路に沿って移動することにより、前記回転レバー部材を前記一方向と逆の方向に回転させ、さらに継続して押されたとき、前記回転レバー部材の先端部が前記スライドアーム部材の側面に乗り上げ、前記押圧力が解除されても、前記スライドアーム部材および前記回転レバー部材は現在の位置に止まる
ことを特徴とするスライド装置。
【請求項６】
前記スライド経路を定めるスライドガイド部を備え、このスライドガイド部は、前記カバーが閉鎖位置から開放位置へスライドする際に筐体面上に乗り上げるように、段差を有する請求項５に記載のスライド装置。
【請求項７】
前記スライドアーム部材は、前記回転レバー部材の先端部が乗り上げる側面に設けられた係合部を有し、この係合部により、スライドアーム部材が位置決めされるとともに、操作上のクリック感がもたらされることを特徴とする請求項５〜６のいずれかに記載のスライド装置。
【請求項８】
前記スライドアーム部材は、前記係合部として、前記回転レバー部材の先端部が乗り上げる側面に凹部または凸部を有し、前記回転レバー部材の先端部が前記側面上に乗り上げて移動する際に、前記先端部の一部が前記凹部に嵌合しまたは前記凸部を乗り越えることを特徴とする請求項７に記載のスライド装置。
【請求項９】
前記スライドアーム部材として平行にスライドする第１および第２のスライドアーム部材を備えるとともに、前記第１および第２のスライドアーム部材に対応付けられた第１および第２の回転レバー部材を備え、単一の前記付勢手段を前記第１および第２の回転レバー部材に共用したことを特徴とする請求項５〜８のいずれかに記載のスライド装置。
【請求項１０】
カメラ部と、
このカメラ部に対して開閉可能なカバーと、
前記カバーを支持し、予め定められたスライド経路に沿ってスライド可能なスライドアーム部材と、
前記スライドアーム部材の一端に当接する先端部を有し、固定の回転軸を中心に回転する回転レバー部材と、
前記スライドアーム部材を前記スライド経路に沿った一端側へ付勢するように前記回転レバー部材を一方向に回転させる付勢力を与える付勢手段と、
前記スライドアーム部材は、外部からの押圧力により前記付勢手段の付勢力に抗して押されたとき、前記スライド経路に沿って移動することにより、前記回転レバー部材を前記一方向と逆の方向に回転させ、さらに継続して押されたとき、前記回転レバー部材の先端部が前記スライドアーム部材の側面に乗り上げ、前記押圧力が解除されても、前記スライドアーム部材および前記回転レバー部材は現在の位置に止まる
ことを特徴とする携帯端末装置。
【発明の詳細な説明】
【技術分野】
【０００１】
本発明は、予め定められたスライド経路に従ってスライドするスライド対象物をスライド経路内の２点において安定的に保持するスライド装置および携帯端末装置に係り、特にそのような機能を実現するためのロック機構に関する。
【背景技術】
【０００２】
図１に、筐体１３に内蔵したカメラ部１２と、そのレンズ部を保護するために選択的にレンズ部を被覆するスライド対象物としてのカバー１１とを備えた携帯電話装置のような携帯装置の概略構成を示す。この携帯装置は、カメラ不使用時には図１（ａ）に示すようにカメラ部１２をカバー１１で閉鎖している。カバー１１は筐体１３にスライド動作可能に支持されており、使用者はカバー１１に外力Ｆ１を印加し、開放位置へとカバー１１を移動させる。図１（ｂ）に示すように、カバー１１をスライド動作させて開放させると、カメラ部１２が現れて撮影可能となる。
【０００３】
通常、カバー１１の不用意なスライド動作を防止するために、カバー１１の閉鎖位置と開放位置には何らかの手段による位置規制の機構が設定されている。図２に、位置規制を行うとともにクリック感を出す従来の位置規制機構を有する携帯装置の構成例を示す。カバー１１は閉鎖位置および開放位置の双方において、押しバネ２４の押圧力Ｆ３によってカバー１１の内壁に押付けられている球状部品２３を有する。カバー１１内壁にはそれぞれ閉鎖位置と開放位置とで球状部品２３が入り込む凹部２１，２３が設けてある。球状部品２３は凹部２１，２３に入ることによりクリック感をもたらすとともに、不用意にカバー１１が動作しない様にロック構造としても機能する。その他、独立したクリック機構を備えたレンズカバー構造も提案されている（特許文献１参照）。
【０００４】
しかしながら、図２に示した携帯装置においては、スライド動作ストロークの両端でのみクリック機能が発生するのみであり、スライドストローク途中位置ではカバーの位置規制が困難となる。
【０００５】
図３に、より使い勝手を向上させた従来の携帯装置の構成を示す。この携帯装置はカバー１１を常に閉鎖状態に維持する方向へ戻す力を発生させるバネ（図示せず）を有する。このバネは戻し力Ｆ５により、カバー１１が閉鎖位置から不用意にスライドしないようにカバー位置を制御している。使用者がカバー１１にバネ力Ｆ５に打ち勝つだけの外力Ｆ４を印加してスライド動作させるとバネは圧縮されて開放位置で最大の撓みとなり、バネは力Ｆ６を蓄える。ここで外力Ｆ４を除去すると、カバーは開放位置から閉鎖位置へと自動復帰する。これにより使い勝手が向上する。しかし、図３の携帯装置においては、カメラ部１２の使用を考慮すると、開放位置にあるカバー１１に対してロック機構が設定されることが望ましい。
【０００６】
図４に、図３の携帯装置に対してカバー１１のロック機構４０を設けた携帯装置を示す。使用者が外力Ｆ７を印加してカバー１１を開放位置へと移動させると、ロック機構４０はカバー１１の突起１１ａと係合し、使用者が外力Ｆ７を除去しても、カバー１１は開放位置に維持される。使用者はロック機構４０に外力Ｆ１０を印加して、軸４１を中心としてロック機構４０を回転させるとカバー１１とロック機構４０の端部４２との係合状態が解除され、カバー１１はバネの戻し力Ｆ１１によって初期位置へと自動復帰する。
【特許文献１】特開２００７−６５４４３号公報
【発明の開示】
【発明が解決しようとする課題】
【０００７】
しかしながら、図４に示した携帯装置においても、独立したロック機構を用意する必要がある。そのロック機構４０は常に内蔵バネの最大撓み位置で発生するバネ力Ｆ１０に対して変形等を発生しない十分な強度を確保する必要がある。更に、高温・低温等の環境下を考慮した強度、および使用者の操作時のロック機構動作力の感触も最適化する必要があり、装置の複雑化を伴う。更に、ロック機構の使い勝手を考慮して操作部を大型化すると、邪魔となるだけでなく落下衝撃等による破損発生の恐れを伴う。
【０００８】
本発明では、スライド対象物のスライド経路上の一端への自動スライド動作を維持しつつ、独立した部品としてのロック機構を必要とせず、他端でのロック状態を実現するものである。
【課題を解決するための手段】
【０００９】
本発明によるロック機構は、スライド対象物のロック機構であって、前記スライド対象物を支持し、予め定められたスライド経路に沿ってスライド可能なスライドアーム部材と、前記スライドアーム部材の一端に当接する先端部を有し、固定の回転軸を中心に回転する回転レバー部材と、前記スライドアーム部材を前記スライド経路に沿った一端側へ付勢するように前記回転レバー部材を一方向に回転させる付勢力を与える付勢手段と、前記スライドアーム部材は、外部からの押圧力により前記付勢手段の付勢力に抗して押されたとき、前記スライド経路に沿って移動することにより、前記回転レバー部材を前記一方向と逆の方向に回転させ、さらに継続して押されたとき、前記回転レバー部材の先端部が前記スライドアーム部材の側面に乗り上げ、前記押圧力が解除されても、前記スライドアーム部材および前記回転レバー部材は現在の位置に止まることを特徴とする。
【００１０】
スライド対象物は、付勢手段により付勢力が与えられた回転レバー部材によりスライドアーム部材を介して、スライド経路に沿った一端側へ付勢される。外力が働かなければ、スライド対象物はこの第１の安定位置に維持される。スライドアーム部材が外部からの押圧力により付勢手段の付勢力に抗して押されたとき、前記回転レバー部材を前記一方向と逆の方向に回転させ、さらに継続して押されたとき、前記回転レバー部材の先端部が前記スライドアーム部材の側面に乗り上げる。このとき、スライド対象物はロック状態となり、前記押圧力が解除されても、前記スライドアーム部材および前記回転レバー部材は現在の位置に止まる。これが第２の安定位置となる。第２の安定位置にある状態で外力によりスライドアーム部材を元の方向へ移動させて、前記回転レバー部材の先端部が前記スライドアーム部材の側面から離脱すれば、再度、付勢手段の付勢力によりスライドアーム部材、ひいてはスライド対象物は自動的に元の第１の安定位置に戻る。
【００１１】
前記スライドアーム部材に、前記回転レバー部材の先端部が乗り上げる側面に設けられた係合部を設けることにより、この係合部により、スライドアーム部材が前記スライド経路上で位置決めされるとともに、操作上のクリック感がもたらされる。
【００１２】
前記スライドアーム部材として平行にスライドする第１および第２のスライドアーム部材を備えるとともに、前記第１および第２のスライドアーム部材に対応付けられた第１および第２の回転レバー部材を備え、単一の前記付勢手段を前記第１および第２の回転レバー部材に共用するようにしてもよい。これにより、スライド対象物のスムーズなスライド動作が実現される。また、単一の前記付勢手段を共用することにより部品点数が低減される。
【００１３】
本発明によるスライド装置は、予め定められたスライド経路に従ってスライドするスライド対象物をスライド経路内の２点において安定的に保持するスライド装置であって、前記スライド対象物を支持し、予め定められたスライド経路に沿ってスライド可能なスライドアーム部材と、前記スライドアーム部材の一端に当接する先端部を有し、固定の回転軸を中心に回転する回転レバー部材と、前記スライドアーム部材を前記スライド経路に沿った一端側へ付勢するように前記回転レバー部材を一方向に回転させる付勢力を与える付勢手段と、前記スライドアーム部材は、外部からの押圧力により前記付勢手段の付勢力に抗して押されたとき、前記スライド経路に沿って移動することにより、前記回転レバー部材を前記一方向と逆の方向に回転させ、さらに継続して押されたとき、前記回転レバー部材の先端部が前記スライドアーム部材の側面に乗り上げ、前記押圧力が解除されても、前記スライドアーム部材および前記回転レバー部材は現在の位置に止まることを特徴とする。
【００１４】
本発明による携帯端末装置は、カメラ部と、このカメラ部に対して開閉可能なカバーと、前記カバーを支持し、予め定められたスライド経路に沿ってスライド可能なスライドアーム部材と、前記スライドアーム部材の一端に当接する先端部を有し、固定の回転軸を中心に回転する回転レバー部材と、前記スライドアーム部材を前記スライド経路に沿った一端側へ付勢するように前記回転レバー部材を一方向に回転させる付勢力を与える付勢手段と、前記スライドアーム部材は、外部からの押圧力により前記付勢手段の付勢力に抗して押されたとき、前記スライド経路に沿って移動することにより、前記回転レバー部材を前記一方向と逆の方向に回転させ、さらに継続して押されたとき、前記回転レバー部材の先端部が前記スライドアーム部材の側面に乗り上げ、前記押圧力が解除されても、前記スライドアーム部材および前記回転レバー部材は現在の位置に止まることを特徴とする。
【００１５】
本発明の他の構成および作用効果については以下に詳述する。
【発明の効果】
【００１６】
本発明によれば、独立した部品としてのロック機構およびクリック機構が必要としないため、装置に必要な部品点数が削減され、装置のコストおよびサイズの低減を図ることができる。また、装置の設計期間のみならず、その製造時の評価・確認工数も削減される。
【発明を実施するための最良の形態】
【００１７】
以下、本発明の好適な実施の形態について図面を参照しながら詳細に説明する。
【００１８】
図５に、本発明のスライド装置の実施の形態として、開閉可能なカバーを有するカメラ部を備えた携帯装置５０の外観図を示す。図５（ａ）は、カメラ部５２をカバー５１で閉鎖したカバー閉鎖状態の正面図および左側面図である。図５（ｂ）は、カバー開放状態の正面図および左側面図である。カバー５１は、外力が働かない限り、装置内部に設けられた弾性部材のような付勢手段による付勢力で常時閉鎖状態に維持されている。使用者がカバー５１の上端または表面に手を掛けて、カバー５１をカバー退避部（筐体面）５５に向けて移動させるように押圧力を付加すると、カバー５１は内部の付勢力に抗して移動し、カバー退避部（筐体表面）５５の上に乗り上げ、行き止まりの位置ではカバー５１が完全に開放され、カメラ部５２が完全に露出する。この開放位置で使用者がカバー５１への押圧力を除去しても（すなわち使用者がカバー５１から手を離しても）カバー５１はその開放位置に止まる。そのためのロック機構については後に詳述する。
【００１９】
図６（ａ）は、カバー開放状態の携帯装置５０を別の角度から見た外観図であり、図６（ｂ）は、その角度における本実施の形態のカバースライド機構（カバー閉鎖状態）の全体を拡大して示した断面図である。図６（ｂ）から分かるように、カバー５１を一体的に支持するカバー部の両側部の前後に計４個の円柱突起（ボス）６１が設けられており、これらの円柱突起６１が筐体側のスライド溝（スライドガイド部：カム溝）７１に挿入された状態で、カバー部はスライド溝７１に沿ってガイドされて移動する。スライドガイド溝７１は、カバー５１が閉鎖位置から開放位置へスライドする際に筐体面上に乗り上げるように、段差を有する。
【００２０】
図７は、本発明のロック機構の実施の形態であるカバースライド機構の分解斜視図を示している。この図は、図６（ｂ）の構成を、スライド方向を軸として１８０度回転させて、その裏側（内部）を見せた図である。カバー部６０は、表面が若干湾曲した平板状のカバー５１と、その側面に１対のカンチレバー状のスライドアーム部（スライドアーム部材）６３とを備えている。スライドアーム部６３はカバー５１とつながる基部と、その基部からカバー側部に沿って延びるカンチレバー状の自由端部を有している。両スライドアーム部の各々の基部と自由端部のそれぞれの側面には上記突起６１が設けられている。このようなカバー部６０の各部は、合成樹脂などにより一体成形することができるが、別途形成された複数の部品を事後的に結合する構成であってもよい。
【００２１】
カバースライド支持部７０は、筐体の一部を構成する部材であり、その両側部に直立した壁面の長手方向に沿ってスライド溝７１を有する。カバー部６０の４個の円柱突起６１がスライド溝７１に挿入されることにより、カバー部６０はカバースライド支持部７０によりスライド溝７１に沿ってスライド可能に支持される。カバー退避部５５の裏面には、回転レバー７７が回転軸としての支柱７３に回転可能に支持され、かつ、同じくカバー退避部５５の裏面に形成された突起であるバネ支持部７５で支持されたトーションバネ７４が配置される。トーションバネ７４の一端７４ａは筐体に固定され、他端７４ｂはバネの付勢力を作用させるために、回転レバー７７の一部であるバネ引っ掛け爪に係止される。これにより、回転レバー７７には図７において支柱７３上で反時計方向Ｒ１の回転力が与えられる。回転レバー７７のレバー先端部７９はカバー５１のスライドアーム部６３の先端に当接する。これにより、バネ７４の力はカバー５１を閉鎖方向へと自動復帰させる方向に働く。
【００２２】
なお、回転レバー７７は、その先端部７９とは逆方向に突出した連結用アーム７６を有している。これは後述する変形例のための構成であり、本実施の形態に必須の構成要素ではない。
【００２３】
図８（ａ）（ｂ）に、カバー５１の開閉時のスライド動作の概念を示す。開放動作力Ｆ１２は使用者が外力として印加する力であり、閉鎖動作力Ｆ１３は内蔵されたバネ７４により与えられる力である。上述したように、カバー５１は図８（ｂ）に示す完全な開放位置（第２の安定位置）にあるときには、バネ７４の力が働いているにも拘わらず、安定状態にありその開放状態が維持される。使用者がカバー５１に対してそれを閉鎖する方向へ若干の力を掛けて安定状態から抜け出させると、そのあとカバー５１はバネ７４による閉鎖動作力Ｆ１３力により閉鎖位置（第１の安定位置）まで自動的に復帰する。このように、カバー５１は、予め定められたスライド経路上の一端と他端に安定的に保持される二つの位置を有する。なお、図７によく現れているように、スライドアーム部６３とカバー５１の裏面との間にはアームに沿った細長い空間が形成されている。この空間は、図８（ｂ）のカバー閉鎖時に、板状のカバー退避部５５を受け入れる（収容する）。この構成により、スライドアーム部６３はカバー５１を堅固に支持しつつ、カバー開放時にスライド溝７１と協働してカバー５１がカバー退避部５５に乗り上げることを可能とする。
【００２４】
図９により、カバーロック機構の動作原理の概要を説明する。図９（ａ）〜図９（ｄ）は、本実施の形態におけるカバーの閉鎖状態から開放状態までの時系列のスライド動作の過程を示している。
【００２５】
図９（ａ）はカバー閉鎖状態を示している。この状態において使用者が外力Ｆ１４をカバー５１に印加してスライド動作を開始させる。このとき、スライドアーム部６３の先端部が回転レバー７７のレバー先端部７９の側部に当接しているので、スライドアーム部６３がその長手方向に移動することにより、回転レバー７７をバネ力に抗して押圧して回転させる。この時、外力Ｆ１４を除去するとカバー５１はバネ７４の力により初期位置（閉鎖位置）へ自動復帰する。更に外力の印加を継続し、カバー５１が図９（ｂ）の位置まで到達すると、回転レバー７７は同図に示す位置まで回転する。この時の外力Ｆ１５を除去すると、やはりカバー５１は閉鎖位置にまで自動復帰する。
【００２６】
しかし、使用者が更に継続してカバー５１に外力Ｆ１６を印加すると、回転レバー７７はさらに回転して、図９（ｃ）に示すように、回転レバー７７のレバー先端部７９がスライドアーム部６３の側面上に乗り上げる形となる。レバー先端部７９がスライドアーム部６３の側面上に乗り上げた時点では、カバー５１はバネ７４の力によっても閉鎖位置への自動復帰はしなくなる。
【００２７】
最終的に図９（ｄ）に示す外力Ｆ１７により回転レバー７７は安定位置に到達し、外力Ｆ１７を除去しても、カバー５１は開放位置で停止したままとなる。この時、回転レバー７７の先端部が、スライドアーム部６３に設けられた係合部としての凹部（切り欠き形状部）６５に落ち込む（勘合する）。これにより、スライドアーム部６３がスライド経路上で位置決めされるとともに、この時に発生する微細な衝撃が使用者に対して操作上のクリック感を発生させる。これにより、使用者はカバー５１がフルストローク移動してロック位置に達したことを認識し、押圧力を解除してもカバー５１が戻らないことが分かる。
【００２８】
カバー開放状態からカバー閉鎖状態に復帰する際には、図９（ａ）〜図９（ｄ）と逆の手順を辿る。すなわち、図９（ｄ）の開放状態において、使用者がカバー５１に対して閉鎖する方向に力を加えると、回転レバー７７の先端がスライドアーム部６３の凹部６５が脱出し、図９（ｃ）のようにスライドアーム部６３に乗り上げた状態となる。さらに使用者がそのような押圧を続けるとスライドアーム部６３の側面上への乗り上げていた回転レバー７７の先端が図９（ｂ）のように再びスライドアーム部６３の先端に当接する状態に戻る。この状態にまで戻ると、使用者がそれ以降力を加えなくてもバネ７４の力によりカバー５１はその閉鎖位置まで自動的に復帰する。図９（ｄ）から図９（ｂ）までのカバー５１の移動距離はカバーの閉鎖時の全ストロークの一部（図の例ではほぼ半分程度）でよい。
【００２９】
図１０は本実施の形態のカバーロック機構の動作原理の詳細の説明図である。図１０（ａ）はカバー５１が閉鎖位置にある状態を示している。回転レバー７７の先端部７９の側部はスライドアーム部６３の先端部に当接している。その結果、バネ７４の力により、レバー先端部７９がアーム６３をその長手方向に押圧することにより、カバー５１は閉鎖方向へ付勢される。この時、レバー先端部７９とアーム部先端の接触点には力Ｆ１８が発生する。このＦ１８は、水平方向分力Ｆ１８ｈ、および垂直方向分力Ｆ１８ｖを持つ。使用者がカバー５１にＦ１８ｖ以上の外力を印加すると、カバー５１は開放方向へ移動を開始する。
【００３０】
図１０（ｂ）において、回転レバー７７は＋Ｒ方向へ回転し、レバー先端部７９に発生するバネ７４による力はＦ１９となる。この時、レバー先端部７９の力作用方向はアーム部の長手方向（またはその直交方向）に対して４５度であり、Ｆ１９の分力であるＦ１９ｈとＦ１９ｖとは同一となる。
【００３１】
更にカバー５１がスライド移動すると、図１０（ｃ）に示すように、力Ｆ２０の垂直分力Ｆ２０ｖは水平分力Ｆ２０ｈよりも小さくなるとともに、回転レバー７７は反時計方向への回転が阻止されるため、最早スライドアーム部６３を押し戻すことができなくなる。その結果、カバー５１はバネ７４の力によって自動復帰することはなくなる。したがって、図１０（ｂ）と図１０（ｃ）の境界位置がカバー５１がバネ７４の力による自動復帰の境界点となる。
【００３２】
次に、図１０（ｄ）にクリック感が発生する原理を示す。カバー５１がフルストローク移動する過程において、回転レバー７７は図中の＋Ｒ方向へ回転を続ける。しかし、スライドアーム部６３に設定された凹部６５が回転レバー７７の先端部７９の回転軌道上に到達すると、回転レバー７７はバネ７４の力により、−Ｒ方向へ若干反転する。この時、回転レバー７７の先端部７９は凹部６５の側壁に衝突し、クリック感を発生させる。また、回転レバー７７の先端部７９は図１０（ｃ）の力Ｆ２０の水平分力Ｆ２０ｈに相当する力でスライドアーム部６３に側圧を印加し、カバー５１はロックされた状態になる。
【００３３】
図１１により、カバー５１のスライドストローク範囲内のある位置まではカバー５１が自動復帰し、その位置を越えるとロック状態に入る条件設定についての概念を説明する。
【００３４】
回転レバー７７の回転中心からスライドアーム部６３の内側側面の延長線までの距離Ｈと、回転レバー７７の回転中心からレバー先端部７９までの距離Ｌ（すなわちレバー先端部７９のアーム長さ）の関係は、Ｌ＞Ｈでなければならない。かつ、距離Ｌは、スライドアーム部６３が存在しなければ自由に回転できるように、筐体側面に当接するよりは短い長さでなければならない。スライドアーム部６３の先端部と回転レバー７７の回転中心との間の垂直方向距離Ｖは、閉鎖状態時が正値であるとすると、閉鎖状態からのスライドアーム部６３のスライドによって次第に小さくなって０となる。その後に同方向のスライドを継続すると、距離Ｖが負側に大きくなっていく。その過程でレバー先端部７９がスライドアーム部６３の内側側面に乗り上げる。この状態でカバー５１はロック状態に入る。したがって、距離Ｌ，Ｈの適正な設定により、バネ７４の力によるカバーの５１の自動復帰範囲を設定することが可能である。
【００３５】
次に本実施の形態の変形例について説明する。上述した実施の形態では、回転レバーは単一個のみ用いた。したがって、カバー部６０のスライドアーム部６３と、回転レバー７７との間の力の伝達は、片側のスライドアーム部６３のみで行われた。これに対して、図１２に、一報のスライドアーム部６３に関与する回転レバー７７に加えて、他方のスライドアーム部６３と関与するもう一つの回転レバーとして従動レバー８７を追加した例を示す。図１２（ａ）（ｂ）はそれぞれカバーの閉鎖状態と開放状態に対応している。回転レバー７７と従動レバー８７は、それらの先端部７９，８９とは逆の方向に突出した連結用アーム７６，８６のリンク部８４において互いに回転可能に連結されている。また、このように連結することにより、バネ７４は両回転レバーに共用することが可能となる。勿論、回転レバー７７とバネ７４およびバネ支持部７５との組み合わせを二組用意して、それぞれを両側のスライドアーム部６３に作用させるようにしてもよい。その場合には連結用アーム７６，８６は不要となる。
【００３６】
上記の実施の形態の単一回転レバー構成によっても両スライドアーム部６３の動作はスライド溝７１によって案内されるので初期の動作は得られるが、本変形例のように回転レバーを二組設けることにより、カバー部の片側のスライドアーム部だけに付勢力を与えるのではなく、両側のスライドアーム部に同様の付勢力を与えることにより、回転レバーの回転動作をスムーズに直線的なスライド運動に変換することができる。これにより、カバー５１の動作の一層の潤滑化および安定化が期待できる。なお、この変形例の基本的な動作概念は上記の実施の形態と何ら変わることは無い。
【００３７】
図１３に、本実施の形態のさらなる変形例を示す。上述した構成では、付勢手段を構成する弾性部材としてトーションバネを用いる例を示したが、この変形例は、引っ張りコイルバネ９０を用いた例を示す。バネの位置を変えることにより、圧縮コイルバネを利用することも可能である。また、弾性部材はバネに限るものではなく、利用可能な任意のものを用いてよい。
【００３８】
図１３の構成は、図１２に示した回転レバー２本の構成を基本としているが、図７等に示した回転レバー１本の構成に対して適用することも可能である。
【００３９】
図１４は、本実施の形態のさらに他の変形例として、クリック感を得るための構成の変形例を示す。上記の構成では、クリック感を得るためにスライドアーム部６３の側面に係合部としての凹部６５を設ける例を示したが、本発明はこの構成に限るものではない。例えば、図１４（ａ）のように傾斜面を有する突起部（凸部）９１，９２を組み合わせて、両突起部の間に凹部を設ける構成であってもよい。この凹部はカバー開放時のカバー部の安定位置を与える。実際の装置構成上、スライドアーム部６３の最大突き出し位置の規制があるので、突起部９２は必ずしも存在しなくてもよい。また、突起部は傾斜面を有するものではなく、図１４（ｂ）に示すように、単なる半球または半円柱型の突起部９３，９４であってもよい。この場合も突起部９４は必須の要素ではない。
【００４０】
本実施の形態によれば、次のような顕著な作用効果が得られる。
（１）カバー部と回転レバーの２点のみの相対位置構成により、バネ力によるカバー部の自動復帰動作範囲をスライドストローク内で設定可能となる。
（２）使用操作時のカバーの開放動作と自動復帰動作とを連続滑らかに、且つ明確に分割可能である。
（３）バネ力に対抗するための独立のロック機構を要さずにカバー部のロックが可能となる。その際、ロックに要する力設定、管理は不要である。
（４）操作時のクリック感を得るための独立した機構を必要としない。また、クリック発生に要する力設定、管理は不要である。
（５）独立したロック機構やクリック発生機構を必要としないので、構成が簡単となり、落下衝撃等による機構の破損や誤動作の可能性が低減される。
（６）このように、本実施の形態によれば、装置の使い勝手を損なうことなく、機構の単純化を実現することができる。
【００４１】
以上、本発明の好適な実施の形態について説明したが、上記で言及した以外にも種々の変形、変更を行うことが可能である。
【００４２】
例えば、本発明のスライド装置は、携帯電話装置を例として説明したが、必ずしも携帯電話装置に限るものではない。例えば、デジタルカメラ、カメラ機能を備えた携帯情報端末、小型ＰＣ、ゲーム機等であってもよい。また、必ずしも携帯可能な装置である必要もない。
【００４３】
カメラ部のカバーに適用した例を説明したが、カメラカバー機構に限らず、本発明は、スライド動作により閉鎖・開放を行うカバー機構部全般に応用可能である。
【００４４】
スライドアーム部材およびそのスライド経路は必ずしも直線である必要はなく、ある程度湾曲したものであってもよい。
【図面の簡単な説明】
【００４５】
【図１】従来のカバー付きカメラ部を備えた携帯装置の概略構成を示す図である。
【図２】クリック感を出す従来の位置規制機構を有する携帯装置の構成を示した図である。
【図３】より使い勝手を向上させた従来の携帯装置を示す図である。
【図４】図３の携帯装置に対してカバーのロック機構を設けた携帯装置の構成を示した図である。
【図５】本発明のスライド装置の実施の形態に係る携帯装置の外観図である。
【図６】図５の携帯装置を別の角度から見た外観図およびその要部を拡大して示した断面図である。
【図７】本発明のロック機構の実施の形態であるカバースライド機構の分解斜視図である。
【図８】図７に示したカバースライド機構のカバーの開閉時のスライド動作の概念を示す図である。
【図９】図７に示したカバースライド機構のカバーロック機構の動作原理の説明図である。
【図１０】図７に示したカバースライド機構の詳細の説明図である。
【図１１】図７に示したカバースライド機構のカバーの自動復帰範囲の条件設定に関する説明図である。
【図１２】本発明の実施の形態の変形例を示す図である。
【図１３】本発明の実施の形態の他の変形例を示す図である。
【図１４】本発明の実施の形態のさらに他の変形例を示す図である。
【符号の説明】
【００４６】
５０…携帯装置、５１…カバー、５２…カメラ部、５５…カバー退避部、６０…カバー部、６１…円柱突起、６３…アーム、６３…スライドアーム部、６５…凹部（係合部）、７０…カバースライド支持部、７１…スライド溝、７３…支柱、７４…トーションバネ、７４ａ…一端、７４ｂ…他端、７５…バネ支持部、７６，８６…連結用アーム、７７…回転レバー、７９，８９…レバー先端部、８４…リンク部、８７…従動レバー（回転レバー）、９０…コイルバネ、９１，９２…突起部
【図１】
2009251080.tif 000003
【図２】
2009251080.tif 000004
【図３】
2009251080.tif 000005
【図４】
2009251080.tif 000006
【図５】
2009251080.tif 000007
【図６】
2009251080.tif 000008
【図７】
2009251080.tif 000009
【図８】
2009251080.tif 000010
【図９】
2009251080.tif 000011
【図１０】
2009251080.tif 000012
【図１１】
2009251080.tif 000013
【図１２】
2009251080.tif 000014
【図１３】
2009251080.tif 000015
【図１４】
2009251080.tif 000016